(57)【特許請求の範囲】
【請求項１】
下記一般式（１）
【化１】
0006472628.tif 000006
（式（１）中、Ｒ１〜Ｒ４はそれぞれ同一でも異なってもよい水素原子又は炭素数１〜８のアルキル基を表す。）で表されるジニトラミド誘導体と、燃料と、必要に応じて凝固点降下剤と、を水を含む溶媒中で混合させる工程、および
水を留去させて液体推進薬中の水分量を０．０１〜３．０質量％にする工程、
を有し、
上記燃料が下記一般式（２）
【化２】
0006472628.tif 000007
（式（２）中、Ｒ５は炭素数１〜８のアルキル基を表し、Ｒ６〜Ｒ７はそれぞれ同一でも異なってもよい水素原子又は炭素数１〜８のアルキル基を表す。）で表されるアミンナイトレートを含有する、
液体推進薬の製造方法。
【請求項２】
上記ジニトラミド誘導体が、下記式（Ａ）
【化３】
0006472628.tif 000008
で表されるアンモニウムジニトラミドである請求項１に記載の製造方法。
【請求項３】
上記混合させる工程において、ジニトラミド誘導体と、燃料と、アミド結合を有する化合物からなる凝固点降下剤と、を混合させる、請求項１又は２記載の製造方法。
【請求項４】
液体推進薬の２０℃における粘度が３０〜８０ｍＰａ・ｓである請求項１〜３のいずれか１項記載の製造方法。
【発明の詳細な説明】
【技術分野】
【０００１】
本発明は、液体推進薬、詳しくは、ジニトラミド誘導体を含む液体推進薬及びその製造方法に関する。
【背景技術】
【０００２】
液体推進薬は一般にロケット等の飛翔体の推進源として用いられている。宇宙用ロケットの分野では燃焼の中断や再点火により推力の制御が可能であるため、ロケットのメインエンジンの他、スラスタを用いて人工衛星の姿勢制御等に利用されている。
【０００３】
液体推進薬の従来技術として、特許文献１には、ヒドロキシルアミンナイトレートと、ヒドロジニウムニトロフォルマート、アンモニウムジニトラミド、硝酸アンモニウム、及び過酸化水素からなる群より選択された１種以上の酸化剤を用いた液体酸化剤及び該液体酸化剤を用いたハイブリッド推進薬が開示されている。液体酸化剤としてヒドロキシルアミンナイトレート水溶液とヒドロジニウムニトロフォルマート、アンモニウムジニトラミド、硝酸アンモニウム、及び過酸化水素を用いることにより、従来の液体酸化剤である液体酸素や四酸化二窒素の各々の問題点となるシステムの極低温化、毒性について改善し、従来と同等な比推力を得るものである。
【０００４】
特許文献２には、酸化剤として、ジニトラミドアニオンを用いた塩を酸化剤として用いた推進薬が開示されている。燃料としては一価アルコール、二価アルコール、三価アルコール又は多価アルコール（具体的には、グリセロール（グリセリン）、グリシン）を用いた場合が有用とされ、特に好ましい配合物としてアンモニウムジニトラミド（ＡＤＮ）、水、グリセロールが例示されている。
【先行技術文献】
【特許文献】
【０００５】
【特許文献１】特開２００２−０２０１９１号公報
【特許文献２】特表２００２−５３７２１８号公報
【発明の概要】
【発明が解決しようとする課題】
【０００６】
液体推進薬における燃料、酸化剤等をそれぞれ粉末の状態で用意し、それらを混合することで液体推進薬を製造することができる。しかしながら、酸化剤及び燃料は、粉末の状態では発火しやすく危険であり、取り扱いが難しかった。他方、特許文献１、２の技術では、各原料を水溶液として調製してから混合することも記載されているが、これらの技術によれば、均一に燃焼させることが困難になってしまう。これらを考慮し、本発明は、製造時の危険性が少なく、かつ、扱いやすく均一燃焼性に優れる液体推進薬及びその製造方法の提供を目的とする。
【課題を解決するための手段】
【０００７】
本発明者らが鋭意検討した結果、以下の内容の本発明を完成した。
［１］下記一般式（１）
【化１】
0006472628.tif 000002
（式（１）中、Ｒ１〜Ｒ４はそれぞれ同一でも異なってもよい水素原子又は炭素数１〜８のアルキル基を表す。）で表されるジニトラミド誘導体と、燃料と、必要に応じて凝固点降下剤と、を水を含む溶媒中で混合させる工程、および水を留去させて液体推進薬中の水分量を０．０１〜３．０質量％にする工程、を有する液体推進薬の製造方法。
［２］上記ジニトラミド誘導体が、下記式（Ａ）
【化２】
0006472628.tif 000003
で表されるアンモニウムジニトラミドである［１］の製造方法。
［３］上記燃料が下記一般式（２）
【化３】
0006472628.tif 000004
（式（２）中、Ｒ５は炭素数１〜８のアルキル基を表し、Ｒ６〜Ｒ７はそれぞれ同一でも異なってもよい水素原子又は炭素数１〜８のアルキル基を表す。）で表されるアミンナイトレートを含有する［１］又は［２］の製造方法。
［４］上記混合させる工程において、ジニトラミド誘導体と、燃料と、エステル結合を有する化合物又はアミド結合を有する化合物からなる凝固点降下剤と、を混合させる、［１］〜［３］のいずれかの製造方法。
［５］液体推進薬の２０℃における粘度が３０〜８０ｍＰａ・ｓである［１］〜［４］のいずれかの製造方法。
［６］下記一般式（１）
【化４】
0006472628.tif 000005
（式（１）中、Ｒ１〜Ｒ４はそれぞれ同一でも異なってもよい水素原子又は炭素数１〜８のアルキル基を表す。）で表されるジニトラミド誘導体と、燃料と、必要に応じて凝固点降下剤と、を含み、２０℃における粘度が３０〜８０ｍＰａ・ｓである、液体推進薬。
［７］０．０１〜３．０質量％の水分を含有する［６］の液体推進薬。
【発明の効果】
【０００８】
本発明の製造方法によれば、各原料は水溶液の状態で混合させるので、製造中の爆発等の危険が格段に低減し、安全性を向上させることができる。本発明によれば、得られる液体推進薬は特定範囲の粘度をもつため、配管内での高い流動性と均一な燃焼性を確保し得る。
【発明を実施するための形態】
【０００９】
本発明によれば、液体推進薬は、ロケットエンジンシステムにおいて供給、噴出される際に、流動性を有している推進薬を指す。液体推進薬は流動性を損なわなければ固体物質を含有してもよい。
【００１０】
本発明の液体推進薬には上記一般式（１）で表されるジニトラミド誘導体を含み、また、本発明の製造方法では、この一般式（１）で表されるジニトラミド誘導体を水を含む溶媒中で混合する。上記一般式（１）中、Ｒ１〜Ｒ４は、それぞれ同一でも異なってもよい水素原子又は炭素数１〜８のアルキル基を表す。
【００１１】
該炭素数１〜８のアルキル基としては、好ましくは炭素数１〜６のアルキル基であり、具体的には、メチル基、エチル基、プロピル基、ブチル基、ペンチル基、ヘキシル基等が挙げられるが、これらの中でも、溶解性に優れている点より、メチル基が特に好ましく挙げられる。
【００１２】
一般式（１）で表されるアンモニウムジニトラミドのカチオン部としては、アンモニウムカチオン、テトラメチルアンモニウムカチオン、テトラエチルアンモニウムカチオン、テトラプロピルアンモニウムカチオン、テトライソプロピルアンモニウムカチオン、テトラブチルアンモニウムカチオン、トリメチルエチルアンモニウムカチオン、トリエチルメチルアンモニウムカチオン、ジメチルジエチルアンモニウムカチオン、ジメチルエチルメトキシエチルアンモニウムカチオン、ジメチルエチルメトキシメチルアンモニウムカチオン、ジメチルエチルエトキシエチルアンモニウムカチオン、トリメチルプロピルアンモニウムカチオン、ジメチルエチルプロピルアンモニウムカチオン、トリエチルプロピルアンモニウムカチオン等が挙げられる。
【００１３】
これらの中でも特に、比推力に優れる点より、アンモニウムカチオンが特に好ましく挙げられる。つまり上記式（Ａ）で表されるアンモニウムジニトラミド、すなわち、式（１）におけるＲ１〜Ｒ４が全て水素原子である化合物、を用いることが好ましく挙げられる。
【００１４】
アンモニウムジニトラミドの製造方法は、公知の製造方法（特表平０５−５００７９５号公報、ＷＯ９１／１９６６９号公報等）で製造することができる。前記製造方法に倣って、対応するカチオンを調製することにより、上記式（１）のアンモニウムジニトラミドを得ることもできる。
【００１５】
本発明の製造方法では、水を含む溶媒中で燃料も混合され、その結果として、得られる液体推進薬にも燃料が含まれる。燃料としては、推進薬で従来使用されるものを特に限定無く用いることができ、例えば、アルコール類、アミノ酸類、ケトン類、アミンナイトレート等が挙げられる。
【００１６】
アルコール類としては、メタノール、エタノール、エタンジオール、プロパノール、イソプロパノール、プロパンジオール、プロパントリオール、ブタノール、ブタンジオール等が挙げられる。
【００１７】
アミノ酸類としては、グリシン、アラニン、バリン、ロイシン、イソロイシン等が挙げられる。
【００１８】
ケトン類としては、アセトン、メチルエチルケトン、メチルプロピルケトン、メチルイソブチルケトン、ジメチルケトン、ジエチルケトン、メチルアミルケトン、シクロヘキサノン、イソホロン等が挙げられる。
【００１９】
好適な燃料として上記一般式（２）で表されるアミンナイトレートが挙げられる。上記一般式（２）中、Ｒ５は炭素数１〜８のアルキル基を表し、Ｒ６〜Ｒ７は、それぞれ同一でも異なってもよい水素原子又は炭素数１〜８のアルキル基を表す。Ｒ６とＲ７の少なくとも一方は、Ｒ５と同じアルキル基であってもよいし異なるアルキル基であってもよい。
【００２０】
炭素数１〜８のアルキル基としては、好ましくは炭素数１〜６のアルキル基が挙げられ、具体的には、メチル基、エチル基、プロピル基、ブチル基、ペンチル基、ヘキシル基等が挙げられるが、これらの中でも、溶解性に優れている点から、メチル基が特に好ましく挙げられる。
【００２１】
一般式（２）で表されるアミンナイトレートのアミンとしては、モノアルキルアミン、ジアルキルアミン、トリアルキルアミンが挙げられる。
【００２２】
モノアルキルアミンとしては、モノメチルアミン、モノエチルアミン、モノプロピルアミン、モノブチルアミン、モノペンチルアミン、モノヘキシルアミン等が挙げられる。
【００２３】
ジアルキルアミンとしては、ジメチルアミン、ジエチルアミン、ジプロピルアミン、ジブチルアミン、ジペンチルアミン、ジヘキシルアミン、メチルエチルアミン、メチルプロピルアミン、メチルブチルアミン、エチルプロピルアミン、エチルブチルアミン等が挙げられる。
【００２４】
トリアルキルアミンとしては、トリメチルアミン、トリエチルアミン、トリプロピルアミン、トリブチルアミン、トリペンチルアミン、トリヘプチルアミン、ジメチルエチルアミン、ジエチルメチルアミン等が挙げられる。
【００２５】
これらの中でも、比推力に優れる点より、モノアルキルアミンが好ましく、特にモノメチルアミンが好ましく挙げられる。換言すると、上記一般式（２）におけるＲ６とＲ７は両方とも水素原子が好ましく、Ｒ５はメチル基が特に好ましい。一般式（２）で表されるアミンナイトレートは、市販のものを用いたり、公知の製法により得られたものを用いることができる。前記製法としては、例えば、対応するアミンと硝酸とを反応させることなどが挙げられ、具体例は後述の実施例にて記載される。
【００２６】
本発明によれば、液体推進薬にはヒドラジンが含まれていてもよいし、含まれていなくてもよい。例えば、ヒドラジンの含有量が１質量％以下であればヒドラジンが実質的に含まれないと解することができる。
【００２７】
＜凝固点降下剤＞
本発明によれば、液体推進薬には凝固点降下剤が含まれていても含まれていなくてもよい。液体推進薬に凝固点降下剤が含まれる場合には、本発明の製造方法において、凝固点降下剤もまた水を含む溶媒中で混合する。凝固点降下剤は、凝固点を下げるだけではなく、密度と比推力を向上させることを特徴としている。凝固点降下剤としては、室温で固体状であるものが好ましく、これにより、得られる液体推進薬の密度を高くすることができる。
【００２８】
凝固点降下剤としては、他の成分と混合させることで凝固点を下げるものであれば任意のものでよいが、エステル結合を有する化合物、アミド結合を有する化合物、アルカリ金属のハロゲン化物等が好ましく挙げられ、特に、エステル結合を有する化合物又はアミド結合を有する化合物が好ましく挙げられる。
【００２９】
エステル結合を有する化合物としては、フタル酸、サリチル酸、イソフタル酸、テレフタル酸、トリメリット酸、ピロメリット酸、安息香酸、レゾルシン酸、ケイ皮酸、ナフトエ酸、マンデル酸等の芳香族カルボン酸；シュウ酸、マロン酸、コハク酸、グルタル酸、アジピン酸、ピメリン酸、スベリン酸、アゼライン酸、セバシン酸、ウンデカン二酸、ドデカン二酸、トリデカン二酸、テトラデカン二酸、ペンタデカン二酸、ヘキサデカン二酸、３−ｔｅｒｔ−ブチルアジピン酸、メチルマロン酸、エチルマロン酸、プロピルマロン酸、ブチルマロン酸、ペンチルマロン酸、ヘキシルマロン酸、ジメチルマロン酸、ジエチルマロン酸、メチルプロピルマロン酸、メチルブチルマロン酸、エチルプロピルマロン酸、ジプロピルマロン酸、メチルコハク酸、エチルコハク酸、２，２−ジメチルコハク酸、２，３−ジメチルコハク酸、２−メチルグルタル酸、３−メチルグルタル酸、３−メチル−３−エチルグルタル酸、３，３−ジエチルグルタル酸、メチルコハク酸、２−メチルグルタル酸、３−メチルグルタル酸、３，３−ジメチルグルタル酸、３−メチルアジピン酸、１，６−デカンジカルボン酸、５，６−デカンジカルボン酸、ギ酸、酢酸、プロピオン酸、酪酸、イソ酪酸、吉草酸、カプロン酸、エナント酸、カプリル酸、ペラルゴン酸、ラウリル酸、ミリスチン酸、ステアリン酸、ベヘン酸、ウンデカン酸、イタコン酸、酒石酸、グリコール酸、乳酸、ピルビン酸等の飽和カルボン酸及びマレイン酸、フマル酸、アクリル酸、メタクリル酸、オレイン酸等の不飽和カルボン酸を含む脂肪族カルボン酸等が挙げられる。これらの中でも特に、フタル酸、サリチル酸、ピロメリット酸、１，６−デカンジカルボン酸が凝固点を下げる効果に優れている点より好ましく挙げられる。
【００３０】
アミド結合を有する化合物としては、アセトアミド、ジメチルアセトアミド、ジエチルアセトアミド、ジプロピルアセトアミド、ジブチルアセトアミド、トリフルオロアセトアミド、ベンズアミド、２−メチルベンズアミド、２−エチルベンズアミド、４−メチルベンズアミド、４−エチルベンズアミド、２−メトキシベンズアミド、２−エトキシベンズアミド、４−メトキシベンズアミド、４−エトキシベンズアミド、２−クロロベンズアミド、２−フルオロベンズアミド、４−クロロベンズアミド、４−フルオロベンズアミド、尿素、Ｎ−メチル−Ｎ’−メチル尿素、Ｎ−メチル−Ｎ’−エチル尿素、Ｎ−メチル−Ｎ’−プロピル尿素、Ｎ−メチル−Ｎ’−ブチル尿素、Ｎ−メチル−Ｎ’−ペンチル尿素、Ｎ−メチル−Ｎ’−ヘキシル尿素、Ｎ−メチル−Ｎ’−フェニル尿素、Ｎ−メチル−Ｎ’−ステアリル尿素、Ｎ−エチル−Ｎ’−エチル尿素、Ｎ−エチル−Ｎ’−プロピル尿素、Ｎ−エチル−Ｎ’−ブチル尿素、Ｎ−エチル−Ｎ’−ペンチル尿素、Ｎ−エチル−Ｎ’−ヘキシル尿素、Ｎ−エチル−Ｎ’−フェニル尿素、Ｎ−エチル−Ｎ’−ステアリル尿素、Ｎ−ブチル−Ｎ’−ペンチル尿素、Ｎ−ブチル−Ｎ’−ヘキシル尿素、Ｎ−ブチル−Ｎ’−フェニル尿素、Ｎ−ブチル−Ｎ’−ステアリル尿素等が挙げられる。これらの中でも特に、アセトアミド、ジメチルアセトアミド、尿素が、凝固点を下げる効果に優れている点より好ましく挙げられる。
【００３１】
アルカリ金属のハロゲン化物としては、塩化ナトリウム、塩化リチウム、塩化カルシウム等が挙げられる。
【００３２】
液体推進剤が凝固点降下剤を含む場合、上記一般式（１）のジニトラミド誘導体、燃料及び凝固点降下剤の総量に占める凝固点降下剤の割合は好ましくは５〜２５重量％である。
【００３３】
＜添加剤＞
また、本発明の液体推進薬としては、添加剤を含有させて用いてもよい。添加剤としては、燃焼触媒、燃焼助剤等が挙げられる。
【００３４】
燃焼触媒とは、燃焼を促進させる触媒のことであり、詳細には、反応活性を上昇させ、低温でも着火が可能となり、幅広い範囲で用いることができる。燃焼触媒としては、ロジウム、ルテニウム、白金、パラジウム、イリジウム等が挙げられる。
【００３５】
燃焼助剤とは、液体推進薬の比推力を向上させる添加剤であり、アルミニウム、マグネシウム、ホウ素、チタン、グラファイト等の粉末が挙げられる。
【００３６】
本発明の製造方法によれば、上記一般式（１）のジニトラミド誘導体と、上述の燃料と、（添加する場合には）凝固点降下剤とが水を含む溶媒中で混合される。上記ジニトラミド誘導体と燃料と必要に応じて凝固点降下剤について、それぞれを水を含む溶媒中に溶解ないし懸濁させてから混合させてもよいし、水を含む溶媒を一つの容器等に用意して、そこに、粉末状等の上記ジニトラミド誘導体、燃料、必要に応じて凝固点降下剤を加えて混合してもよい。
【００３７】
水を含む溶媒は、水を含有していればよく、水とアルコール、水とケトン等の混合溶媒などが挙げられる。水を含む溶媒における水の割合は、好ましくは３０質量％以上であり、より好ましくは５０％以上であり、特に好ましくは実質的に全て水（１００質量％）である。
【００３８】
混合の高効率を考慮して、上記混合する際の混合物の全量に占める水の割合は、好ましくは２０質量％以上であり、より好ましくは、４０質量％以上である。前記水の割合の上限値は特に限定されず、製造の効率化の観点から、例えば８０質量％であり、好ましくは６０％である。
【００３９】
混合の態様については特に限定は無く、適宜なミキサーを用いるなどが挙げられる。
【００４０】
本発明の製造方法によれば、混合後に、水を留去させる。このとき、所定の水分量が混合物に残存するように留去を行う。具体的には、得られる液体推進薬における水分量が０．０１〜３．０質量％になるようにする。水分量の調整方法は従来技術を適宜参照することができる。例えば、減圧蒸留などで留去を行うときに、混合物の一部をサンプリングして水分量をモニターすることが挙げられる。目標とする水分量に近づいたことを確認して留去作業を終了することにより、最終的に得られる液体推進薬における水分量をコントロールすることができる。
【００４１】
後述の比較例において示されるように、各原料を乾燥状態で混合して、しかる後に水を添加して、所望の水分量のものを調製しても、得られる液体推進薬は所望の粘度を得ることができない。これは、各原料の乾燥状態での混合では、均一に混ざりにくいためであると考えられる。
【００４２】
本発明によれば、液体推進薬の（２０℃における）最適な粘度は、３０〜８０ｍＰａ・ｓであり、より好ましくは４０〜８０ｍＰａ・ｓであり、特に好ましくは５０〜８０ｍＰａ・ｓである。上記範囲内の粘度であれば、均一に燃焼させることができるとともに、配管中での流動性も良好であり、液体圧送時に高い圧力を要さず、取扱いが容易であるとともに安全性が高い。更に、上記範囲の粘度であれば、気泡が混入した場合であっても、容易に脱気できる。
【実施例】
【００４３】
以下、本発明を実施例に基づいて詳細に説明するが、本発明は、本実施例により何ら限定されるものではない。
【００４４】
＜原材料＞
アンモニウムジニトラミド（ＡＤＮ）、尿素は、市販の試薬を用いた。燃料として、以下のようにして製造したモノメチルアミンナイトレートを用いた。
【００４５】
＜モノメチルアミンナイトレートの合成＞
モノメチルアミン４０質量％水溶液１４６．５部に、７０質量％硝酸１８７．６部を滴下して１０℃以下で撹拌して反応させた。反応後、得られた水溶液を６０℃、３０ｍｍＨｇの条件で水を留去させ、モノメチルアミンナイトレートの飽和水溶液を得た。モノメチルアミンナイトレートの飽和水溶液をイソプロピルアルコール２８０部に入れ撹拌させて、モノメチルアミンナイトレートの結晶を析出させた。得られた結晶を濾別し、イソプロピルアルコールで洗浄し、乾燥させて、モノメチルアミンナイトレート１８６．４部を得た。
【００４６】
＜実験例−各試料の落槌感度の測定＞
ＪＩＳ  Ｋ  ４８１０（火薬類性能試験方法）に規定されている試験方法に基づき、衝撃感度試験の１つである落槌感度試験を実施した。５ｋｇの落槌を所定の高さから試料の上に垂直落下させ、試料が爆発するかを調べた。同一の高さで６回試験を行い、１回だけ爆発するか、または１回だけ爆発すると推定される高さ（１／６爆点）を調べた。落槌感度は下記基準で規定される等級で表示され、等級の数字が小さいほど、感度が高いことを表す。
落槌感度等級            １／６爆点（ｃｍ）
１級                    ５未満
２級                    ５以上１０未満
３級                  １０以上１５未満
４級                  １５以上２０未満
５級                  ２０以上３０未満
６級                  ３０以上４０未満
７級                  ４０以上５０未満
８級                  ５０以上
【００４７】
下記の試料について落槌感度を測定した。
試料                                    落槌感度
ＡＤＮ（粉末状）                          ２級
ＡＤＮ５０質量％水溶液                    ８級
メチルアミンナイトレート（粉末状）        ７級
メチルアミンナイトレート５０質量％水溶液  ８級
以上のとおり、特にＡＤＮにおいては、水溶液にすることで安全性が格段に向上することが定量的に明らかになった。
【００４８】
＜実施例１〜５＞
実施例１〜５では、後述の比率になるように、ＡＤＮ及びモノメチルアミンナイトレートのそれぞれの５０質量％水溶液、実施例１〜３においてはさらに尿素の５０質量％水溶液、を調製し、それらを混合し、４０℃にて２時間で減圧蒸留をして水を留去させて、液体推進薬を得た。減圧蒸留の際には、水分計を用いて水分を測定し続けていた。実施例１では水分量０．１質量％、実施例２、４では水分量１質量％、実施例３、５では水分量３質量％を目標として減圧蒸留を行い。目標に近づいたときに減圧蒸留を終了した。
【００４９】
実施例１〜５において得られた液体推進薬の組成（質量％）及び２０℃における粘度（ｍＰａ・ｓ）は以下のとおりである。ここで、「ＡＤＮ」はアンモニウムジニトラミドであり、「燃料」はモノメチルアミンナイトレートである。粘度は各液体推進薬を１ｍＬ採取して円錐平板型粘度計を用いて測定した。
実施例１：ＡＤＮ39.96、燃料39.96、尿素19.98、水分0.1000、粘度78
実施例２：ＡＤＮ39.60、燃料39.60、尿素19.80、水分0.9900、粘度71
実施例３：ＡＤＮ38.83、燃料38.83、尿素19.42、水分2.913、粘度51
実施例４：ＡＤＮ49.50、燃料49.50、尿素0、    水分0.9900、粘度76
実施例５：ＡＤＮ48.54、燃料48.54、尿素0、    水分2.913、粘度59
【００５０】
＜比較例１〜２＞
比較例２では、後記所定量のＡＤＮ及びモノメチルアミンナイトレートをそれぞれ粉末状態で、比較例１ではさらに尿素を粉末状態で、混合した。その結果、混合物は液体になり、液体推進薬が得られた。これら液体推進薬においては水分量は検出限界以下であった（検出限界値は０．０００５質量％）。
【００５１】
＜比較例３〜８＞
比較例６〜８では、後記所定量のＡＤＮ及びモノメチルアミンナイトレートをそれぞれ粉末状態で、比較例３〜５ではさらに尿素を粉末状態で、混合した。その結果、混合物は液体になった。得られた液体の混合物に後記所定量の水を加えて液体推進薬を得た。
【００５２】
比較例１〜８において得られた液体推進薬の組成（質量％）及び２０℃における粘度（ｍＰａ・ｓ）は以下のとおりである。ここで、「ＡＤＮ」はアンモニウムジニトラミドであり、「燃料」はモノメチルアミンナイトレートである。粘度は各液体推進薬を１ｍＬ採取して円錐平板型粘度計を用いて測定した。
比較例１：ＡＤＮ40.00、燃料40.00、尿素20.00、水分0、粘度107
比較例２：ＡＤＮ50.00、燃料50.00、尿素0、    水分0、粘度169
比較例３：ＡＤＮ39.96、燃料39.96、尿素19.98、水分0.1000、粘度101
比較例４：ＡＤＮ39.60、燃料39.60、尿素19.80、水分0.9900、粘度95
比較例５：ＡＤＮ38.83、燃料38.83、尿素19.42、水分2.913、粘度90
比較例６：ＡＤＮ49.95、燃料49.95、尿素0、    水分0.1000、粘度166
比較例７：ＡＤＮ49.50、燃料49.50、尿素0、    水分0.9900、粘度158
比較例８：ＡＤＮ48.54、燃料48.54、尿素0、    水分2.913、粘度152